(57)【要約】【課題】収納時には小型化することができ、運搬時にはレンズカバーでレンズを確実に保護することができるプロジェクタを提供する。【解決手段】開いていたレンズカバー３１が、筐体４から右方向へ引き出される把持部５に連動して右方向へ摺動することによって、自動的に閉じる。その後、使用者は、把持部５を把持することによってプロジェクタ１を運搬する。即ち、運搬時にはレンズを確実に保護することができる。また、把持部５が筐体４に収容されている状態では、摘持部３０を摘持した使用者がレンズカバー３１を左右に摺動させることによって、手動で開閉させることができる。このため、把持部５を筐体４に収容することによって把持部５を筐体４から引き出した状態よりもプロジェクタ１を小型化させた上で、レンズカバー３１を閉じ、そして、プロジェクタ１を収納することができる。【選択図】図３
2011028124.tif 000002
【特許請求の範囲】
【請求項１】
映像を投影するためのレンズと、
該レンズの露出／被覆のために開／閉されるレンズカバーと、
該レンズカバー及び前記レンズを内蔵する筐体と、
該筐体に出没可能に収容される把持部と
を備えるプロジェクタにおいて、
前記筐体に収容されていた前記把持部が前記筐体から引き出される場合に、開かれていた前記レンズカバーが閉じられるよう前記把持部と前記レンズカバーとを連動させる連動機構と、
前記把持部が前記筐体に収容されている状態で、前記レンズカバーを開閉させるための開閉部と
を備えることを特徴とするプロジェクタ。
【請求項２】
操作部と、
前記レンズカバーの開／閉に伴って、前記操作部の少なくとも一部の露出／被覆のために開／閉される操作部カバーと
を更に備えることを特徴とする請求項１に記載のプロジェクタ。
【請求項３】
前記レンズカバーの開／閉方向と、前記把持部の収容／引き出し方向とが同じ向きになるようにしてあり、
前記把持部は、前記収容／引き出し方向に交差する方向に沿って配される杆状の取っ手と、該取っ手に、前記収容／引き出し方向に突設されている取手支持部とを有し、
前記連動機構は、
前記収容／引き出し方向に沿って前記取手支持部（又は前記レンズカバー）に形成されている案内溝と、
その一側が、前記収容／引き出し方向に摺動可能に前記案内溝に係合しており、且つ、その他側が、前記レンズカバー（又は前記取手支持部）に固定してあることによって、前記把持部及び前記レンズカバーを連結する連結部材と、
前記把持部が前記筐体から引き出される場合に、前記連結部材に当接することによって前記レンズカバーが開かれることを禁止すべく前記把持部の引き出し方向へ移動（又は前記把持部の収容方向へ前記連結部材に対して相対移動）し、前記把持部が前記筐体に収容される場合に、前記連結部材から離隔すべく前記収容方向へ移動（又は前記引き出し方向へ前記連結部材に対して相対移動）することによって前記レンズカバーの開閉を許可する当接部と
を有することを特徴とする請求項１又は２に記載のプロジェクタ。
【請求項４】
前記当接部は、前記案内溝の前記収容方向（又は前記引き出し方向）の端部に設けてあり、該端部と、前記連結部材の前記一側とが接離するようにしてあることを特徴とする請求項３に記載のプロジェクタ。
【発明の詳細な説明】
【技術分野】
【０００１】
本発明は、使用者が把持部を把持して運搬するプロジェクタに関する。
【背景技術】
【０００２】
壁面又はスクリーン等に映像を投影するプロジェクタは、その正面に一体的にレンズが配設されている筐体を備える。筐体は、プロジェクタを運搬するときに使用者が把持すべき把持部（ハンドル）を有する。
プロジェクタの収納時又は運搬時等には、レンズカバーでレンズを被覆することによって、レンズを保護することがなされる。
レンズカバーには、筐体及び把持部等のプロジェクタ本体とは別体に設けられているものと、プロジェクタ本体に一体的に配設されているものとがある。
【０００３】
プロジェクタ本体とは別体に設けられているレンズカバー（レンズキャップ）としては、有底筒状になしてあるものが挙げられる（特許文献１参照）。この場合、プロジェクタの使用者は、プロジェクタの使用終了時（又は使用開始時）にレンズカバーを取り付ける（又は取り外す）ことによって、レンズを被覆する（又は露出させる）。
【０００４】
プロジェクタ本体に一体的に配設されているレンズカバーの一例としては、筐体の正面に対して摺動可能に取り付けられているものが挙げられる（特許文献１〜７参照）。この場合、使用者がレンズカバーをスライドさせることによってレンズカバーを開けると、レンズが露出する。また、使用者がレンズカバーを閉めると、レンズカバーによってレンズが被覆される。
【０００５】
プロジェクタ本体に一体的に配設されているレンズカバーの他の一例としては、把持部と一体に設けられているものが挙げられる（特許文献１参照）。
特許文献１に記載のプロジェクタが備える把持部は、使用者が把持部を把持する場合に配置されるべき第１位置と、プロジェクタを使用する場合に配置されるべき第２位置との間を往復可能に構成されている。把持部が第１位置（又は第２位置）に配置される場合、把持部のレンズカバー部分がレンズに接近する（又はレンズから離隔する）ことによって、レンズが被覆される（又は露出する）。
【０００６】
この結果、使用者が把持部を第２位置に移動させると、レンズが自動的に露出する。また、使用者が把持部を第１位置に移動させると、レンズが自動的に被覆される。
【先行技術文献】
【特許文献】
【０００７】
【特許文献１】特開平１１−１４９５８号公報
【特許文献２】特開平１１−３１６４１６号公報
【特許文献３】特開２００６−２０１６４６号公報
【特許文献４】特開２００７−４１６１７号公報
【特許文献５】特開２００７−２０６２０３号公報
【特許文献６】特開２００７−２４０５５１号公報
【特許文献７】特開２００８−２１６７５７号公報
【発明の概要】
【発明が解決しようとする課題】
【０００８】
しかしながら、プロジェクタ本体とは別体に設けられているレンズカバーは、使用者が着脱させる必要がある。このため、プロジェクタの運搬時に、使用者がレンズカバーの取り付けを忘れる虞がある。この結果、レンズを汚損、損傷又は破損等から保護することができなくなる。
また、取り外したレンズカバーは紛失し易く、筐体とは別途管理する必要があるため、不便である。
【０００９】
仮に、レンズカバーと筐体とをストラップで連結する構成であれば、取り外したレンズカバーの管理は容易になる。
ところが、このようなレンズカバーは、筐体を床面又は机上等に筐体を載置した状態でプロジェクタを使用する際に、レンズカバーが誤って筐体の下側に載置されてしまうことがある。このため、筐体が不安定になったり傾いたりする虞がある。或いは、筐体又は筐体周辺の物品等にストラップが引っ掛かる虞がある。以上の結果、プロジェクタ又は他の物品の使用性に悪影響が及ぼされる。
【００１０】
プロジェクタ本体に一体的に配設されているレンズカバーは、紛失の可能性も、筐体とは別に管理する必要もない。しかも、レンズカバーが誤って筐体の下側に載置されたり、ストラップが筐体又は筐体周辺の物品等に引っ掛かったりする虞もない。
しかしながら、筐体に対して摺動可能に取り付けられているレンズカバーは、使用者が開閉させる必要がある。このため、プロジェクタの運搬時に、使用者がレンズカバーを閉め忘れる虞がある。この結果、レンズを汚損、損傷又は破損等から保護することができなくなる。
【００１１】
一方、把持部と一体に設けられているレンズカバーは、プロジェクタの運搬時には、必ずレンズを保護することができる。何故ならば、把持部を把持すべく、使用者が把持部を第１位置へ移動させるからであり、把持部が第１位置へ移動すれば、把持部のレンズカバー部分が自動的にレンズに覆い被さるからである。
ところが、このようなプロジェクタにおいては、把持部が第２位置へ移動すると、レンズは必ず露出してしまう。このため、プロジェクタを使用しない（例えば収納場所に収納する）場合には、把持部を常に第１位置に配しておかなければならない。
【００１２】
ところで、使用者が把持部を把持するためには、把持部と筐体との間に、使用者の手を配置することが可能な適宜の空間を要する。このため、把持部が第１位置に配されている状態では、プロジェクタのサイズが一時的に大型化することがある。
特にプロジェクタを収納する場合には、プロジェクタは小型であることが望ましい。しかしながら、プロジェクタの未使用時には、把持部を第１位置に配しておかなければならない。このため、収納されているプロジェクタの把持部と筐体との間にデッドスペースが生じ兼ねない。また、大型のプロジェクタは、収納場所が限定されるという問題を有する。
【００１３】
本発明は斯かる事情に鑑みてなされたものであり、その主たる目的は、把持部が筐体に収容されている状態ではレンズカバーが開閉可能であり、把持部が筐体から引き出される場合には、レンズカバーが自動的に閉じられる構成とすることにより、収納時には小型化することができ、運搬時にはレンズを確実に保護することができるプロジェクタを提供することにある。
【課題を解決するための手段】
【００１４】
本発明に係るプロジェクタは、映像を投影するためのレンズと、該レンズの露出／被覆のために開／閉されるレンズカバーと、該レンズカバー及び前記レンズを内蔵する筐体と、該筐体に出没可能に収容される把持部とを備えるプロジェクタにおいて、前記筐体に収容されていた前記把持部が前記筐体から引き出される場合に、開かれていた前記レンズカバーが閉じられるよう前記把持部と前記レンズカバーとを連動させる連動機構と、前記把持部が前記筐体に収容されている状態で、前記レンズカバーを開閉させるための開閉部とを備えることを特徴とする。
【００１５】
本発明に係るプロジェクタは、操作部と、前記レンズカバーの開／閉に伴って、前記操作部の少なくとも一部の露出／被覆のために開／閉される操作部カバーとを更に備えることを特徴とする。
【００１６】
本発明に係るプロジェクタは、前記レンズカバーの開／閉方向と、前記把持部の収容／引き出し方向とが同じ向きになるようにしてあり、前記把持部は、前記収容／引き出し方向に交差する方向に沿って配される杆状の取っ手と、該取っ手に、前記収容／引き出し方向に突設されている取手支持部とを有し、前記連動機構は、前記収容／引き出し方向に沿って前記取手支持部（又は前記レンズカバー）に形成されている案内溝と、その一側が、前記収容／引き出し方向に摺動可能に前記案内溝に係合しており、且つ、その他側が、前記レンズカバー（又は前記取手支持部）に固定してあることによって、前記把持部及び前記レンズカバーを連結する連結部材と、前記把持部が前記筐体から引き出される場合に、前記連結部材に当接することによって前記レンズカバーが開かれることを禁止すべく前記把持部の引き出し方向へ移動（又は前記把持部の収容方向へ前記連結部材に対して相対移動）し、前記把持部が前記筐体に収容される場合に、前記連結部材から離隔すべく前記把持部の収容方向へ移動（又は前記引き出し方向へ前記連結部材に対して相対移動）することによって前記レンズカバーの開閉を許可する当接部とを有することを特徴とする。
【００１７】
本発明に係るプロジェクタは、前記当接部は、前記案内溝の前記引き出し方向（又は前記引き出し方向）の端部に設けてあり、該端部と、前記連結部材の前記一側とが接離するようにしてあることを特徴とする。
【００１８】
本発明にあっては、プロジェクタが、レンズ、レンズカバー、筐体、把持部、連動機構、及び開閉部を備える。
レンズカバーは、レンズを露出させるために開かれ、レンズを被覆するために閉じられる。プロジェクタは、露出したレンズを介して、壁面又はスクリーン等に映像を投影する。また、レンズカバーに被覆されることによって、レンズは保護される。このため、プロジェクタの使用時にはレンズカバーが開けられている必要があり、プロジェクタの未使用時、即ちプロジェクタの運搬時及び収納時等には、レンズカバーが閉じられている必要がある。
【００１９】
把持部は、筐体に出没可能に収容されている。把持部が筐体に収容されている場合、把持部が筐体から引き出されている場合に比べて、プロジェクタは小型化する。
把持部が筐体に収容されている状態では、開閉部は、レンズカバーを開閉させるために用いられる。即ち、開閉部を用いてレンズカバーの被覆と露出とを切り替えることができるため、レンズカバーを着脱させる必要はない。このような開閉部は、例えば使用者がレンズカバーを手動で開閉させるための摘持部である。又は、開閉部は、モータ又はシリンダ等のアクチュエータを用いてレンズカバーを自動的に開閉させるための開閉機構である。
【００２０】
連動機構は、筐体に収容されていた把持部が筐体から引き出される場合に、把持部とレンズカバーとを連動させる。この結果、開かれていたレンズカバーが閉じられる。
筐体に収容されていた把持部が筐体から引き出される場合とは、使用者によってプロジェクタが運搬される場合である。つまり、プロジェクタの運搬時には、開いていたレンズカバーは自動的に閉じる。
ところで、連動機構は、閉じられていたレンズカバーが開くよう把持部とレンズカバーとを連動させるものではない。従って、閉じられていたレンズカバーが連動機構の作用によって無用に開くことはない。
【００２１】
本発明にあっては、プロジェクタが、操作部と操作部カバーとを更に備える。
ここで、操作部とは、使用者が操作することによって、例えばレンズのズーム及び／又はフォーカスを調節するためのもの、或いは、プロジェクタの主電源のオン／オフを切り替えるためのもの等である。
操作部カバーは、レンズカバーの開／閉に伴って開／閉される。このとき、操作部の少なくとも一部が露出する／被覆される。
【００２２】
レンズカバーが閉じられる場合とは、プロジェクタを使用しない場合である。従って、レンズカバーと共に操作部カバーが閉じられることによって、操作部を汚損、損傷又は破損等から保護することができ、また、操作部が誤って操作されてしまうことを防止することができる。逆に、操作部カバーが閉じられている場合には、レンズカバーも閉じられている、とわかるため、レンズカバーが閉じられたまま使用者がプロジェクタを使用してしまうことが防止される。
【００２３】
レンズカバーが開かれる場合とは、プロジェクタを使用する場合である。従って、レンズカバーと共に操作部カバーが開かれることによって、使用者が操作部を操作することができる。
このように、レンズカバーと操作部カバーとが連動するため、使用者は、レンズカバーと操作部カバーとを個別に開閉する必要がない。従って、使用者の利便性を向上させることができる。
【００２４】
本発明にあっては、連動機構が、案内溝、連結部材、及び当接部を有する。以下では、案内溝が取手支持部に形成されており、連結部材がレンズカバーに固定されている場合を説明する。
レンズカバーが開かれる開方向と、把持部が収容される収容方向とは同じ向きであり、レンズカバーが閉じられる閉方向と、把持部が引き出される引き出し方向とは同じ向きである。
把持部は、杆状の取っ手と、取っ手に突設されている取手支持部とを有する。取っ手は、収容／引き出し方向に交差する方向に沿って配され、取手支持部は、収容／引き出し方向に沿って配されている。
案内溝は、収容／引き出し方向に沿って、把持部の取手支持部に形成されている。
【００２５】
連結部材は、把持部とレンズカバーとを連結する。このために、連結部材の一側は、案内溝に係合している。ただし、連結部材の案内溝に係合している一側は、案内溝に案内されて収容／引き出し方向に摺動可能である。一方、連結部材の他側は、レンズカバーに固定してある。つまり、連結部材及びレンズカバーは一体的に設けられており、連結部材及びレンズカバーは、案内溝に案内されて、収容方向及び引き出し方向夫々（即ち開方向及び閉方向夫々）に摺動可能である。
【００２６】
把持部が筐体から引き出される場合、当接部は引き出し方向へ移動する。このとき、当接部は連結部材に当接することによって、レンズカバーが開かれることを禁止する。
従って、把持部が筐体に収容されている状態で、レンズカバーが開かれていても、連結部材に当接した当接部が、把持部の引き出しに伴って、連結部材を引き出し方向へ移動させる。連結部材はレンズカバーに固定されているため、引き出し方向へ移動する連結部材は、レンズカバーを閉方向へ移動させる。この結果、レンズカバーが閉じられる。また、当接部が連結部材の収容方向への摺動、延いてはレンズカバーの開方向への移動を阻害するため、レンズカバーが開かなくなる。
【００２７】
また、把持部が筐体に収容される場合に、当接部は収容方向へ移動することによって、連結部材から離隔する。このとき、レンズカバーの開閉が許可される。
従って、把持部が筐体に収容されている状態では、使用者が開閉部を用いてレンズカバーを開ける（又は閉じる）ことによって、連結部材は、開方向（又は閉方向）に摺動する。このとき、摺動する連結部材は、案内溝に案内されて収容方向（又は引き出し方向）に摺動するが、当接部が連結部材の収容方向／引き出し方向への摺動、延いてはレンズカバーの開方向／閉方向への移動を阻害することはない。この結果、把持部が筐体に収容されている場合には、レンズカバーの開閉は自由になる。
【００２８】
ここで、把持部が筐体から引き出されている場合とは、使用者によってプロジェクタが運搬される場合である。つまり、プロジェクタの運搬時には、レンズカバーが無用に開くことはない。
また、把持部が筐体から引き出されている状態では、使用者が開閉部を用いることによってもレンズカバーを開くことはできない。このため、使用者が誤ってレンズカバーを開けてしまう虞がなく、レンズカバーが開いていることに気付かずプロジェクタを運搬してしまう虞もない。
【００２９】
一方、プロジェクタを使用する場合には、把持部を筐体に収容すれば、レンズカバーの開閉が自在になる。つまり、連動機構が設けられていることによって、プロジェクタの使用性が悪化する不都合は生じない。
以上のような作用及び効果は、案内溝がレンズカバーに形成されており、連結部材が取手支持部に固定されている場合でも略同様である。
ただし、この場合には、連結部材及び取手支持部が一体的に設けられている。
【００３０】
連結部材は取手支持部に固定されているため、把持部の引き出しに伴って、引き出し方向へ移動する。把持部が筐体に収容されている状態で、レンズカバーが開かれていても、連結部材が引き出し方向へ移動することによって、当接部は連結部材に対して収容方向へ相対移動するため、連結部材に当接した当接部が、レンズカバーを閉方向へ移動させる。この結果、レンズカバーが閉じられる。また、当接部がレンズカバーの開方向への移動を阻害するため、レンズカバーが開かなくなる。
また、把持部が筐体に収容される場合に、連結部材が収容方向へ移動することによって、当接部は連結部材に対して引き出し方向へ相対移動するため、連結部材から離隔する。このとき、レンズカバーの開閉が許可される。
【００３１】
本発明にあっては、案内溝が取手支持部に形成されており、連結部材がレンズカバーに固定されている場合には、案内溝の収容方向の端部に当接部が設けてある。一方、案内溝がレンズカバーに形成されており、連結部材が取手支持部に固定されている場合には、当接部は、案内溝の引き出し方向の端部に設けてある。
案内溝には連結部材の一側が係合しているため、連結部材の一側と当接部とが、把持部の出没又はレンズカバーの開閉に伴って、接離する。
【００３２】
このような場合、例えば案内溝の収容方向（又は引き出し方向）の内端面が当接部として機能する。また、把持部の出没に伴って、当接部も自然と収容／引き出し方向に移動（又は連結部材に対して相対移動）するため、当接部を移動させるための移動機構を別途配設する必要はない。即ち、案内溝の収容方向（又は引き出し方向）の端部以外に当接部を設ける場合よりも、連動機構をコンパクト且つ簡単に構成することができる。
【発明の効果】
【００３３】
本発明のプロジェクタによる場合、把持部が筐体に収容されているときに、使用者が開閉部を用いてレンズカバーを開閉することができる。
従って、使用者がレンズカバーを着脱させる必要はない。この結果、レンズカバーの管理が容易であるため、使用者の利便性が向上されている。また、取り外されたレンズカバー、若しくはレンズカバーと筐体とを連結するストラップ等が、プロジェクタ又はプロジェクタ周辺の物品の使用性に悪影響を及ぼすことはない。
【００３４】
しかも、把持部が筐体に収容されたコンパクトな状態で、使用者は、レンズカバーを閉じてプロジェクタを収納場所に収納することができる。この結果、プロジェクタの収納時に、レンズを汚損、損傷又は破損等から保護することができる。また、大型のプロジェクタに比べて、収納場所が制限されない。
また、把持部が筐体に収容されたコンパクトな状態で、使用者は、レンズカバーを開けてプロジェクタを使用することができる。この結果、使用中であれ未使用中であれ、プロジェクタの把持部と筐体との間にデッドスペースが生じることはない。
【００３５】
プロジェクタを運搬する際には、使用者は筐体から把持部を引き出す。このとき、プロジェクタは一時的に大型化するが、これは、把持部を把持する使用者の手が配置される空間を確保するために必要な大型化である。また、運搬終了後に把持部を筐体に収容させることによって再び小型化させることができるため、格別の問題はない。
また、把持部が筐体から引き出されることによって、レンズカバーは自動的に閉じられる。従って、使用者がプロジェクタを運搬する際に、レンズカバーを取り付け忘れたり閉じ忘れたりする虞がない。この結果、プロジェクタの運搬時にも、レンズを汚損、損傷又は破損等から確実に保護することができる。
【図面の簡単な説明】
【００３６】
【図１】本発明の実施の形態に係るプロジェクタの把持部が筐体に収容されている場合にレンズカバー及び操作部カバーが開かれているときの外観を示す斜視図である。
【図２】本発明の実施の形態に係るプロジェクタの把持部が筐体に収容されている場合にレンズカバー及び操作部カバーが閉められているときの外観を示す斜視図である。
【図３】本発明の実施の形態に係るプロジェクタの把持部が筐体から引き出されている場合の外観を示す斜視図である。
【図４】本発明の実施の形態に係るプロジェクタの構成を示す第１の分解斜視図である。
【図５】本発明の実施の形態に係るプロジェクタの構成を示す第２の分解斜視図である。
【図６】本発明の実施の形態に係るプロジェクタの把持部が筐体に収容されている場合にレンズカバー及び操作部カバーが開かれているときの連動機構の状態を示す平面側斜視図である。
【図７】本発明の実施の形態に係るプロジェクタの把持部が筐体に収容されている場合にレンズカバー及び操作部カバーが開かれているときの連動機構の状態を示す底面側斜視図である。
【図８】本発明の実施の形態に係るプロジェクタの把持部が筐体に収容されている場合にレンズカバー及び操作部カバーが閉められているときの連動機構の状態を示す平面側斜視図である。
【図９】本発明の実施の形態に係るプロジェクタの把持部が筐体に収容されている場合にレンズカバー及び操作部カバーが閉められているときの連動機構の状態を示す底面側斜視図である。
【図１０】本発明の実施の形態に係るプロジェクタの把持部が筐体から引き出されている場合の連動機構の状態を示す平面側斜視図である。
【図１１】本発明の実施の形態に係るプロジェクタの把持部が筐体から引き出されている場合の連動機構の状態を示す底面側斜視図である。
【発明を実施するための形態】
【００３７】
以下、本発明を、その実施の形態を示す図面に基づいて詳述する。
【００３８】
図１〜図３夫々は、本発明の実施の形態に係るプロジェクタ１の外観を示す斜視図である。
更に詳細には、図１は、プロジェクタ１の把持部５が筐体４に収容されている場合にレンズカバー３１及び操作部カバー３２が開かれているときの外観を示しており、図２は、把持部５が筐体４に収容されている場合にレンズカバー３１及び操作部カバー３２が閉められているときの外観を示している。図３は、把持部５が筐体４から引き出されている場合の外観を示している。
【００３９】
図４及び図５は、プロジェクタ１の構成を示す第１及び第２の分解斜視図である。
筐体４は、蓋４１と容器４２とを組み合わせることによって構成されている。図４には、蓋４１と、筐体４に内蔵されるものの一部とが示されており、図５には、容器４２と、筐体４に内蔵されるものの残部とが示されている。
【００４０】
図６、図８、及び図１０は、夫々プロジェクタ１の連動機構６の構成を示す平面側斜視図であり、図７、図９、及び図１１は、夫々連動機構６の構成を示す底面側斜視図である。
図６及び図７は夫々図１に対応し、把持部５が筐体４に収容されている場合にレンズカバー３１及び操作部カバー３２が開かれているときの連動機構６の状態を示している。図８及び図９は夫々図２に対応し、把持部５が筐体４に収容されている場合にレンズカバー３１及び操作部カバー３２が閉められているときの連動機構６の状態を示している。図１０及び図１１は夫々図３に対応し、把持部５が筐体４から引き出されている場合の連動機構６の状態を示している。
【００４１】
図６及び図８には、後述する把持部ホルダ６５１，６５２が取り付けられている状態が図示されているが、図１０には、把持部ホルダ６５１，６５２が取り外されている状態が図示されている。
【００４２】
プロジェクタ１においては、図１、図６、及び図７に示すように、把持部５が筐体４に収容されている場合にレンズカバー３１及び操作部カバー３２が開かれているときとは、使用者がプロジェクタ１を使用する場合である。また、図２、図８、及び図９に示すように、把持部５が筐体４に収容されている場合にレンズカバー３１及び操作部カバー３２が閉められているときとは、使用者がプロジェクタ１を使用しない場合、特に、プロジェクタ１を収納場所に収納する場合である。更に、図３、図１０、及び図１１に示すように、把持部５が筐体４から引き出されている場合とは、使用者がプロジェクタ１を運搬する場合である。
【００４３】
以下では、プロジェクタ１の正面に向かって左側（又は右側）を、プロジェクタ１の左側（又は右側）という。従って、図１〜図３は、プロジェクタ１の正面、天面、及び右側面を示す斜視図である。
また、プロジェクタ１の正面側（又は背面側）を前側（又は後側）という。
更に、プロジェクタ１の天面側（又は底面側）を上側（又は下側）という。
本実施の形態では、プロジェクタ１として、液晶プロジェクタを例示する。
【００４４】
プロジェクタ１は、図１〜図３に示すような筐体４を備えている。筐体４には、図４〜図１１に示すような投射ユニット１１、電源ユニット１２、回路基板１３、排気ダクト１４、カバーユニット３、及び把持部５が内蔵されている。更に筐体４には、図６〜図１１に示すような連動機構６が内蔵されている。
【００４５】
投射ユニット１１は直方体状になしてある。また、投射ユニット１１は、夫々図示はしないが、ランプと、映像を表示する液晶パネルとを内蔵している。
更に、投射ユニット１１は、正面にレンズ部２を備えている。レンズ部２は、光を発散させる円盤状のレンズ２１と、レンズ２１のズーム及びフォーカス夫々を調節するためのレンズ操作部２２とを有する。レンズ２１の周縁部は、投射ユニット１１の正面に突設されている円筒部分の内側で支持されており、この円筒部分の外周面に、レンズ操作部２２が配設されている。
【００４６】
ランプが発生させた光は、液晶パネル及びレンズ２１をこの順に透過し、更に、筐体４の後述する開口４ａを通過してから、プロジェクタ１の外部へ投射される。この結果、プロジェクタ１の正面に対面している壁面又はスクリーン等に、映像が拡大投影される。
電源ユニット１２は直方体状になしてあり、投射ユニット１１の後側に配置されている。また、電源ユニット１２は、プロジェクタ１の外部から供給された電力を、投射ユニット１１及び回路基板１３等、筐体４に内蔵されている各種の電気機器に供給する。電源ユニット１２の背面には、給電線を接続すべき図示しない接続部が配設されている。
【００４７】
回路基板１３は、投射ユニット１１の上側に配置されている。回路基板１３には、図示はしないが、プロジェクタ１の各部を制御する制御回路、及び液晶パネルが表示すべき映像を処理する映像処理回路等が実装されている。回路基板１３の後側端部には、例えば映像データを通信するための通信線を接続すべき接続部が配設されている。
排気ダクト１４は、投射ユニット１１の左側に配置されている。また、排気ダクト１４は、図示しない送風機を内蔵している。筐体４の内部で発生した熱は、送風機が送風することによって、空気と共に排気ダクト１４を通過して、プロジェクタ１の外部へ強制的に排出される。
【００４８】
カバーユニット３は、夫々が矩形平板状になしてあるレンズカバー３１と操作部カバー３２と連結板部３３とを一体に備えている。操作部カバー３２（又は連結板部３３）は、レンズカバー３１の上端部（又は下端部）から後側へ突出するように、レンズカバー３１に対して直交配置されている。即ち、カバーユニット３は、コ字状に屈曲している板部材からなる。
【００４９】
このようなカバーユニット３のレンズカバー３１は、プロジェクタ１を使用する場合に開かれることによって筐体４の開口４ａを開放し、この結果、レンズ２１を露出させるものである。また、レンズカバー３１は、プロジェクタ１を使用しない場合に閉じられることによって開口４ａを閉塞し、この結果、レンズ２１に覆い被さるものである。
このために、レンズカバー３１は、自身の正面が筐体４の正面４００に対して左右方向に摺動可能に対面配置されている。ここで、左方向（又は右方向）はレンズカバー３１の開方向（又は閉方向）である。
【００５０】
また、レンズカバー３１の正面右端部には、レンズカバー３１を開閉する場合に使用者が摘持するための摘持部３０が突設されている。摘持部３０は、本発明の実施の形態における開閉部として機能する。
摘持部３０は、筐体４の開口４ａに後側から挿通してあり、レンズカバー３１の開閉に伴って、開口４ａの左右両端部間を往復移動する。ところで、開口４ａの周縁部の内、左端部及び右端部には、レンズカバー３１が開かれたとき及び閉じられたときに摘持部３０が嵌合する凹部が形成されている。このため、開口４ａの周縁部と接触した摘持部３０が、開口４ａの完全な開放又は閉塞を阻害することが防止されている。
【００５１】
更に、レンズカバー３１は、自身の背面が投射ユニット１１の正面に対面し、且つ、レンズ部２から適長離隔して配置されている。従って、レンズカバー３１がレンズ部２に接触することはない。
【００５２】
操作部カバー３２は、レンズカバー３１の開／閉に伴って開／閉される。また、操作部カバー３２は、筐体４の天面４１１に対して左右方向に摺動可能に対面配置されている。
操作部カバー３２の前後方向基端部分（即ちレンズカバー３１に近い部分）は、レンズ部カバー３２１として機能する。一方、操作部カバー３２の前後方向先端部分（即ちレンズカバー３１から遠い部分）は、ボタンカバー３２２として機能する。ボタンカバー３２２の右端部には、後述する電源ボタン１０１を露出させるための円形状の露出孔３２ａが形成されている。
【００５３】
レンズ部カバー３２１はレンズ操作部２２の露出／被覆のために開／閉されるものであり、ボタンカバー３２２は電源ボタン１０１の露出／被覆のために開／閉されるものである。
操作部カバー３２とレンズ部２及び電源ボタン１０１夫々とは適長離隔されている。このため、操作部カバー３２がレンズ部２及び／又は電源ボタン１０１に接触することはない。
【００５４】
把持部５はコ字状部材からなる。また、把持部５は、筐体４に出没可能に収容される。プロジェクタ１を運搬する場合、使用者は、把持部５を筐体４から手動で引き出して把持する。
このために、把持部５は、使用者が握持し易い矩形杆状になしてある取っ手５０と、取っ手５０の両端部に直角に突設されている矩形板状の取手支持部５１，５２とを一体に備えている。取っ手５０は、筐体４の右側面に平行に配置され、取手支持部５１，５２は、夫々の下面が筐体４の底面４２１に対面し、且つ、取手支持部５１が前側、取手支持部５２が後側に配置された状態で、左右方向に摺動可能に配置されている。取手支持部５１は、取手支持部５２よりも長い。ここで、左方向（又は右方向）は把持部５の収容方向（又は引き出し方向）である。
【００５５】
筐体４は、天面４１１、正面４００、背面、左右両側面、及び底面４２１からなる直方体状のものである。蓋４１は、天面４１１と、筐体４の正面４００、背面、及び左右両側面夫々の上半分とを一体に有している。容器４２は、底面４２１と、筐体４の正面４００、背面、及び左右両側面夫々の下半分とを一体に有している。
筐体４の正面４００には、円形状の開口４ａが形成されている。レンズカバー３１が開かれている場合には、開口４ａを介して、レンズ２１が露出する。
【００５６】
筐体４の両側面夫々には、筐体４の内部で発生した熱を排出するための排熱口が形成されている。左側面に形成されている排熱口からは、排気ダクト１４から排出された空気が吹き出す。
筐体４の背面には、電源ユニット１２及び制御回路基板１３夫々に設けられている接続部を露出させるための開口が形成されている。
筐体４の天面４１１には、矩形状の開口４ｂが形成されている。開口４ｂは、開口４ａの近傍に配置されており、開／閉されるレンズ部カバー３２１によって、開放／閉塞される。開口４ｂが開放されている場合、開口４ｂを介して、レンズ操作部２２が露出する。
【００５７】
更にまた、天面４１１には、プロジェクタ操作部１０が凹設されている。具体的には、天面４１１の開口４ｂの近傍に、凹部４１２が形成されている。凹部４１２は、第１底面と、第１底面よりも深い位置に配されている第２底面とを有する。凹部４１２の第１底面には、プロジェクタ１の電源がオンである場合に使用者がプロジェクタ１を操作するための複数個の操作ボタンが配設されている。凹部４１２の第２底面には、電源ボタン１０１が配設されている。使用者によって電源ボタン１０１が押圧操作される都度、プロジェクタ１の主電源のオン／オフが切り替えられる。
【００５８】
凹部４１２の第２底面に対応する左右両側面及び正面に連続して、スリットが形成されており、このスリットに、ボタンカバー３２２が挿通されている。このため、電源ボタン１０１は、ボタンカバー３２２によって被覆されており、露出孔３２ａを介してのみ露出する。
【００５９】
筐体４の底面４２１には、図示しない３本の脚部を筐体４に取り付けるための３個の丸孔が形成されている。
また、把持部５の取っ手５０が遊嵌した状態で収容される収容孔４２２が、底面４２１と容器４２の右側面との角部を切り欠くようにして、形成されている。
更に、底面４２１には、カバー案内レール４３０と、把持部案内レール４３１，４３１，４３２，４３２とが突設されている。各レール４３０〜４３２は、長手方向が容器４２の正面４００に沿うように形成されている。
【００６０】
カバー案内レール４３０は、カバーユニット３の左右方向の摺動を案内するためのものである。このために、カバー案内レール４３０は、レンズカバー３１が開口４ａを完全に閉塞するときのレンズカバー３１の右端位置に対応する位置から、レンズカバー３１が開口４ａを完全に開放するときのレンズカバー３１の左端位置に対応するまで形成されている。
【００６１】
カバー案内レール４３０と容器４２の正面４００との間には、カバーユニット３の連結板部３３が、左右方向に摺動可能に嵌合している。
連結板部３３が右方向へ摺動した場合、レンズカバー３１及び操作部カバー３２は右方向へ同時に摺動する。この結果、レンズカバー３１及び操作部カバー３２は夫々閉じられる。逆に、使用者が摘持部３０を摘持してレンズカバー３１（及び操作部カバー３２）を開／閉した場合、連結板部３３は左方向／右方向へ摺動する。
【００６２】
各２本の把持部案内レール４３１，４３２は、筐体４に対する把持部５の収容及び引き出しを案内するためのものである。このために、把持部案内レール４３１，４３１，４３２，４３２夫々は、把持部５が筐体４に完全に収容された場合の取手支持部５１，５２の先端位置（即ち取っ手５０に連結されていない側の端部の位置）に対応する位置よりも左側の位置から、収容孔４２２の開口縁部まで形成されている。
【００６３】
連動機構６は、把持部５とレンズカバー３１とを連動させるように構成されている。このために、連動機構６は、案内溝６１，６２、連結部材６３、当接部６４、把持部ホルダ６５１，６５２、固定突起６６１，６６２、及びビス６７０，６７１，６７２を備える。
【００６４】
案内溝６１（又は案内溝６２）は、取手支持部５１（又は取手支持部５２）の上面及び下面を貫通する孔状になしてあり、左右方向に沿って形成されている。つまり、案内溝６１は、把持部５の収容／引き出し方向に沿って、取手支持部５１に形成されている。
案内溝６１，６２の右端位置同士は対応しているが、案内溝６１の左端位置は、案内溝６２の左端位置よりも、後述する係合摺動部６３１の左右方向の長さの分だけ左側に配置されている。
【００６５】
連結部材６３は、Ｌ字状に屈曲された板状部材を用いてなる。
連結部材６３のＬ字の一側は係合摺動部６３１として機能する。係合摺動部６３１は、案内溝６１に上側から挿入されることによって案内溝６１に係合しており、案内溝６１に係合した状態で、案内溝６１に案内されて左右方向に摺動する。
【００６６】
連結部材６３の他側は連結固定部６３２として機能する。連結固定部６３２の先端部分は、カバーユニット３の連結板部３３に、ビス６７０で下側からビス留めされている。このために、連結板部３３にはビス６７０の軸部が挿通されている図示しないビス孔が形成されており、連結固定部６３２の下面には、その先端にビス６７０の軸部が螺合している図示しないビス穴が形成されている突起が突設されている。
【００６７】
以上の結果、連結部材６３は、把持部５とレンズカバー３１とを連結する。ただし、連結固定部６３２が連結板部３３にビス留め固定されているため、連結板部３３とカバーユニット３とは、案内溝６１とカバー案内レール４３０とに案内されて、左右方向に一体的に摺動可能である。
【００６８】
案内溝６１の左端内面は、当接部６４として機能する。即ち、当接部６４は、案内溝６１の左方向の端部に設けてあり、係合摺動部６３１と当接部６４とが、把持部５の出没、又はレンズカバー３１及び操作部カバー３２の開閉に伴って、接離する。
【００６９】
具体的には、把持部５が筐体４に収容されている場合、レンズカバー３１及び操作部カバー３２の開／閉に伴って、係合摺動部６３１が当接部６４に対して接／離する。一方、把持部５が筐体４に収容されており、レンズカバー３１及び操作部カバー３２が閉じられている場合、把持部５の筐体４からの引き出しに伴って、当接部６４が右方向へ移動することによって係合摺動部６３１に接近し、そして、係合摺動部６３１の左側部に当接する。この後、把持部５が筐体４に収容される場合には、当接部６４が左方向へ移動することによって係合摺動部６３１から離隔する。
【００７０】
把持部ホルダ６５１，６５２夫々は、ビス６７１，６７２の軸部が挿通されているビス孔が形成されている矩形平板と、この矩形平板の前後端部から下側へ突出するように直交配置されている２枚の矩形平板とが一体に設けられてなる。即ち、把持部ホルダ６５１，６５２夫々は、コ字状に屈曲した板状部材を用いてなる。把持部ホルダ６５１の前後方向の長さは、把持部案内レール４３１，４３１間の距離に等しい。同様に、把持部ホルダ６５２の場合は、把持部案内レール４３２，４３２間の距離に等しい。
【００７１】
把持部ホルダ６５１は、把持部案内レール４３１，４３１間からの取手支持部５１の脱離を抑制するためのものである。同様に、把持部ホルダ６５２は、把持部案内レール４３２，４３２間からの取手支持部５２の脱離を抑制するためのものである。
【００７２】
把持部案内レール４３１，４３１間の収容孔４２２近傍には、把持部ホルダ６５１をビス６７１で固定するための固定突起６６１が突設されている。固定突起６６１の先端部には、ビス６７１の軸部が螺合するビス穴が形成されている。また、固定突起６６１の左端位置は、把持部ホルダ６５１の左端位置に対応している。
同様に、把持部案内レール４３２，４３２間の収容孔４２２近傍には、把持部ホルダ６５２をビス６７２で固定するための固定突起６６２が突設されている。固定突起６６２の先端部には、ビス６７２の軸部が螺合するビス穴が形成されている。また、固定突起６６２の左端位置は、把持部ホルダ６５２の左端位置に対応している。
【００７３】
把持部案内レール４３１，４３１間には、把持部５の取手支持部５１が、案内溝６１に下側から固定突起６６１が挿入された状態で嵌合している。更に、把持部ホルダ６５１が取手支持部５１を上側から被覆し、ビス６７１で固定突起６６１に上側からビス留めされている。以上のような状態で、取手支持部５１は、左右方向に摺動可能にしてある。同様に、把持部案内レール４３２，４３２間には、把持部５の取手支持部５２が、案内溝６２に下側から固定突起６６２が挿入された状態で嵌合している。更に、把持部ホルダ６５２が取手支持部５２を上側から被覆し、ビス６７２で固定突起６６２に上側からビス留めされている。以上のような状態で、取手支持部５２は、左右方向に摺動可能にしてある。
【００７４】
固定突起６６１，６６２は、案内溝６１，６２に案内されて、取手支持部５１に対して左右方向に相対摺動する。この結果、固定突起６６１，６６２及び案内溝６１，６２は、把持部５の出没を案内する機能を有する。
【００７５】
図３、図１０、及び図１１に示すように、把持部５が筐体４から完全に引き出されている場合、連結部材６３の係合摺動部６３１は、当接部６４と固定突起６６１とに左右から挟持される。また、固定突起６６２の左側部と案内溝６２の左端内面とが当接する。このとき、レンズカバー３１及び操作部カバー３２は閉じられている。
【００７６】
この状態で、使用者が把持部５を把持し、筐体４の左側面が下向きにされた姿勢でプロジェクタ１を運搬したとしても、把持部５が筐体４から脱離することはない。また、この状態で、カバーユニット３に対して、レンズカバー３１及び操作部カバー３２が開かれる方向に外力が印加されたとしても、係合摺動部６３１が当接部６４に当接するため、連結部材６３の左方向への摺動、延いてはレンズカバー３１及び操作部カバー３２の左方向への摺動が阻害される。即ち、レンズカバー３１及び操作部カバー３２が開かれることが禁止される。
【００７７】
筐体４から引き出されている把持部５に対し、使用者が左方向の外力を印加することによって、把持部５は筐体４に押し込まれる。この結果、取っ手５０が収容孔４２２に遊嵌された状態で、把持部５は筐体４に収容される。
このとき、プロジェクタ１は、図３、図１０、及び図１１に示す状態から、図２、図８、及び図９に示す状態に移行する。ここで、把持部５を再び引き出せば、プロジェクタ１は、図２、図８、及び図９に示す状態から、図３、図１０、及び図１１に示す状態に移行する。このとき、レンズカバー３１及び操作部カバー３２は閉じられたままである。
【００７８】
図２、図８、及び図９に示すように、把持部５が筐体４に完全に収容されており、且つ、レンズカバー３１が閉められているとき、使用者は摘持部３０を摘持して、左方向へ外力を印加する。
このとき、カバーユニット３が左方向へ摺動する。また、カバーユニット３の左方向への摺動に伴い、連結部材６３が左方向へ摺動する。この結果、レンズカバー３１及び操作部カバー３２は開かれ、レンズ２１、レンズ操作部２２、及び電源ボタン１０１が露出する。
【００７９】
即ち、プロジェクタ１は、図２、図８、及び図９に示す状態から、図１、図６、及び図７に示す状態に移行する。ここで、使用者が摘持部３０を摘持して、右方向へ外力を印加すると、カバーユニット３が右方向へ摺動する。また、カバーユニット３の右方向への摺動に伴い、連結部材６３が右方向へ摺動する。この結果、レンズカバー３１及び操作部カバー３２は閉じられ、レンズ２１、レンズ操作部２２、及び電源ボタン１０１が被覆される。即ち、プロジェクタ１は、図１、図６、及び図７に示す状態から、図２、図８、及び図９に示す状態に移行する。このとき、把持部５は筐体４に収容されたままである。
【００８０】
以上のように、把持部５が筐体４に収容されている状態とは、レンズカバー３１及び操作部カバー３２の開閉が許可されている状態である。
【００８１】
図１、図６、及び図７に示すように、把持部５が筐体４に完全に収容されており、且つ、レンズカバー３１が開かれているとき、取っ手５０を把持した使用者が把持部５に対して右方向へ外力を印加することによって、把持部５を筐体４から引き出す。
このとき、当接部６４は右方向へ移動する。更に、当接部６４は連結部材６３の係合摺動部６３１に当接し、連結部材６３を右方向へ摺動させる。右方向へ摺動する連結部材６３は、カバーユニット３を右方向へ摺動させる。この結果、レンズカバー３１及び操作部カバー３２が閉じられる。
【００８２】
即ち、プロジェクタ１は、図１、図６、及び図７に示す状態から、図３、図１０、及び図１１に示す状態に移行する。このように、レンズカバー３１及び操作部カバー３２が開かれている場合であっても、使用者が把持部５を筐体４から引き出すことによって、レンズカバー３１及び操作部カバー３２が自動的に閉じられる。このため、使用者が摘持部３０を摘持してレンズカバー３１及び操作部カバー３２を手動で閉じる必要はない。
【００８３】
以上のようなプロジェクタ１は、レンズカバー３１でレンズ２１を被覆し、同時に、レンズ部カバー３２１でレンズ操作部２２を被覆することによって、プロジェクタ１の運搬時及び収納時等に、レンズ部２を汚損、損傷又は破損等から保護することができる。
把持部５が筐体４から引き出されている間は、取っ手５０と筐体４の右側面との間に空間が生じるが、この空間は、取っ手５０を把持する使用者の手が配置される空間である。また、この空間は、把持部５が筐体４に収容されることによって、存在しなくなる。即ち、プロジェクタ１は、運搬時に一時的に大型化するが、プロジェクタ１の使用時及び収納時等には小型化することができる。
【００８４】
なお、ボタンカバー３２２は、プロジェクタ操作部１０全体の露出／被覆のために開／閉されるものであってもよい。この場合、ボタンカバー３２２は、凹部４１２全体を開放／閉塞するように構成される。このとき、ボタンカバー３２２に露出孔３２ａを形成する必要はない。
また、カバーユニット３がボタンカバー３２２を備えていない構成でもよい。この場合、プロジェクタ操作部１０はプロジェクタ１の未使用時であっても常に露出する。このようなプロジェクタ１は構成が簡易であるが、レンズカバー３１が閉じられていることに使用者が気付かずにプロジェクタ操作部１０を操作してしまう虞がある。
【００８５】
ところで、本実施の形態においては、カバーユニット３がレンズ部カバー３２１を備えていない構成は望ましくない。何故ならば、レンズ部カバー３２１を備えていない場合には、開口４ｂが常に開放されるため、開口４ｂを通過した埃又は水滴等が、レンズ操作部２２に付着したり、レンズ２１とレンズカバー３１との間隙を通過してレンズ２１に付着したりする虞があるからである。つまり、レンズ部カバー３２１は、本発明の実施の形態における操作部カバーの機能とレンズカバーの機能とを有している。
ただし、プロジェクタ１が、レンズカバー３１が閉められた場合にはレンズ２１が密閉される構成であれば、カバーユニット３にレンズ部カバー３２１が備えられていなくとも、レンズ２１は保護される。
【００８６】
なお、プロジェクタ１は、使用者が摘持部３０を摘持してレンズカバー３１及び操作部カバー３２を手動で開閉する構成に限定されるものではない。例えば、プロジェクタ１は、電動モータの正転／反転に連動してレンズカバー３１及び操作部カバー３２が開／閉する構成であってもよい。この場合、使用者による手動開閉の手間を省くことができる。
【００８７】
更にまた、プロジェクタ１は、連結板部３３に左右方向の案内溝が形成されており、取手支持部５１に連結固定部６３２の先端部分が固定され、連結板部３３の案内溝に、係合摺動部６３１が係合する構成でもよい。この場合、連結板部３３に形成されている案内溝の右端内面が、当接部として機能する。また、この場合、取手支持部５１には、案内溝６２と同様の案内溝が形成されていればよい。
【００８８】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。例えば、本実施の形態の把持部５はコ字状であるが、Ｔ字状、Ｌ字状、又はＥ字状等であってもよい。
また、本発明の効果がある限りにおいて、プロジェクタ１に、実施の形態に開示されていない構成要素が含まれていてもよい。
【符号の説明】
【００８９】
１    プロジェクタ
１０  プロジェクタ操作部（操作部）
２１  レンズ
２２  レンズ操作部（操作部）
３０  摘持部（開閉部）
３１  レンズカバー
３２  操作部カバー
４    筐体
５    把持部
５０  取っ手
５１  取手支持部
６    連動機構
６１  案内溝
６３  連結部材
６４  当接部
【図１】
2011028124.tif 000003
【図２】
2011028124.tif 000004
【図３】
2011028124.tif 000005
【図４】
2011028124.tif 000006
【図５】
2011028124.tif 000007
【図６】
2011028124.tif 000008
【図７】
2011028124.tif 000009
【図８】
2011028124.tif 000010
【図９】
2011028124.tif 000011
【図１０】
2011028124.tif 000012
【図１１】
2011028124.tif 000013